(57)【要約】【課題】２連のうちの一方のがいし連が断連したときの衝撃を緩和する。【解決手段】送電線鉄塔側に設けられるアース側ヨーク及び送電線側に設けられるライン側ヨーク間に２連のがいし連を所定の間隔を保ち、かつ、平行にがいし連を設けて構成される２連耐張装置において、前記アース側ヨークにおける前記２連のがいし連の取付位置及び前記送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、１＜Ｊ１　／Ａ≦２としたことを特徴とする。【選択図】　　　図１
2004031047.tif 000002
【特許請求の範囲】
【請求項１】
送電線鉄塔側に設けられるアース側ヨーク及び送電線側に設けられるライン側ヨーク間に２連のがいし連を所定の間隔を保ち、かつ、平行にがいし連を設けて構成される２連耐張装置において、
前記アース側ヨークにおける前記２連のがいし連の取付位置及び前記送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、
2004031047.tif 000005
としたことを特徴とする２連耐張装置。
【請求項２】
送電線鉄塔側に設けられるアース側ヨーク及び送電線側に設けられるライン側ヨーク間に２連のがいし連を所定の間隔を保ち、かつ、平行にがいし連を設けて構成される２連耐張装置において、
前記ライン側ヨークにおける前記２連のがいし連の取付位置及び前記送電線への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ２　としたときに、
2004031047.tif 000006
としたことを特徴とする２連耐張装置。
【請求項３】
送電線鉄塔側に設けられるアース側ヨーク及び送電線側に設けられるライン側ヨーク間に２連のがいし連を所定の間隔を保ち、かつ、平行にがいし連を設けて構成される２連耐張装置において、
前記アース側ヨークにおける前記２連のがいし連の取付位置及び前記送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、
2004031047.tif 000007
とし、
前記ライン側ヨークにおける前記２連のがいし連の取付位置及び前記送電線への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ２　としたときに、
2004031047.tif 000008
としたことを特徴とする２連耐張装置。
【発明の詳細な説明】
【０００１】
【発明の属する技術分野】
本発明は２連耐張装置に係り、特に、２連のうちの一方のがいし連が断連したときの衝撃を緩和できるようにしたものに関する。
【０００２】
【従来の技術】
従来、この種の２連耐張装置は、送電線鉄塔側のアース側ヨークと送電線側のライン側ヨークとの間に、所定長さの２個（２連）のがいし連からなる２連耐張装置のがいし連を所定の間隔を保ち、かつ、平行に設けられている。そして、各ヨークの形状は、２連のがいし連の取付位置を結ぶ線と、その結ぶ線の垂直２等分線上に位置する送電線鉄塔側への取付位置は送電線の取付位置とによって決められている。
【０００３】
本発明の実施の形態の説明で用いる図１（ａ）に示されるアース側ヨークを基にさらに説明すると、ａ１　は２連のがいし連イ，ロの内の一方のがいし連の取付位置であり、ａ２　は、他方のがいし連ロの取付位置である。また、ａ３　は、アース側ヨークＹ１　を図示しない送電線鉄塔に取付けるための取付位置であって、上記取付け位置ａ１　，ａ２　を結ぶ垂直２等分線上に位置している。
【０００４】
アース側ヨークＹ１　の形状は、上述の各取付け位置ａ１　〜ａ３　を結ぶ線によって所定の三角形状の大きさに決められる。そして、２連のがいし連イ，ロの取付位置ａ１　，ａ１　間の距離、すなわち、２連のがいし連イ，ロの間隔Ａと、それら取付け位置ａ１　，２　を結ぶ垂直２等分線からその垂直２等分線上における送電線鉄塔側への取付位置ａ３　までの距離Ｊ１　は、次式に示される関係を有するように決められている（例えば、本出願人に係る特公平６−３６３３２号。）。
０．６≦Ｊ１　／Ａ≦１．０
この関係は、２連のがいし連イ，ロの内の一方が、例えば、雷によって断連したときに他方のがいし連に与える衝撃荷重を緩和できるようにするために設けられている。
【０００５】
【発明が解決しようとする課題】
ところで、近年、送電線に伴う土地利用の補償費等の費用低減を図るために、送電線鉄塔を小型化する傾向にあり、このため送電線鉄塔の高さも低くなる傾向にある。送電線鉄塔の高さが低くなると、送電線と地面との絶縁距離を所定以上に確保するために、送電線の弛度（送電線鉄塔間の送電線の弛み具合）を小さくする傾向にある。送電線の弛度が小さくなると、当然に２連耐張装置に加わる張力が大きくなる。したがって、このような高張力においても、一方のがいし連が断連したときでも、十分に衝撃を緩和できる２連耐張装置の出現が待たれている。
【０００６】
そこで、本発明は、上記要望に応えるためになされたものであって、２連のうちの一方のがいし連が断連しても、十分に衝撃を緩和することのできる２連耐張装置を提供することにある。
【０００７】
【課題を解決するための手段】
本発明に係る２連耐張装置は、上記目的を達成するために、請求項１に記載の発明は、送電線鉄塔側に設けられるアース側ヨーク及び送電線側に設けられるライン側ヨーク間に２連のがいし連を所定の間隔を保ち、かつ、平行にがいし連を設けて構成される２連耐張装置において、前記アース側ヨークにおける前記２連のがいし連の取付位置及び前記送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、１＜Ｊ１　／Ａ≦２としたことを特徴としている。
【０００８】
本発明に係る２連耐張装置は、上記目的を達成するために、請求項２に記載の発明は、送電線鉄塔側に設けられるアース側ヨーク及び送電線側に設けられるライン側ヨーク間に２連のがいし連を所定の間隔を保ち、かつ、平行にがいし連を設けて構成される２連耐張装置において、前記ライン側ヨークにおける前記２連のがいし連の取付位置及び前記送電線への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ２　としたときに、０．４≦Ｊ２　／Ａ≦１．０としたことを特徴としている。
【０００９】
本発明に係る２連耐張装置は、上記目的を達成するために、請求項３に記載の発明は、送電線鉄塔側に設けられるアース側ヨーク及び送電線側に設けられるライン側ヨーク間に２連のがいし連を所定の間隔を保ち、かつ、平行にがいし連を設けて構成される２連耐張装置において、前記アース側ヨークにおける前記２連のがいし連の取付位置及び前記送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、１＜Ｊ１　／Ａ≦２とし、前記ライン側ヨークにおける前記２連のがいし連の取付位置及び前記送電線への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ２　としたときに、０．４≦Ｊ２　／Ａ≦１．０としたことを特徴とする。
【００１０】
【発明の実施の形態】
以下、本発明の実施の形態を図面に基づいて説明する。図１（ａ）は、一実施の形態に２連耐張装置の平面図である。図中、Ｙ１　は、図示しない送電線鉄塔側に投げられるアース側ヨークであって、三角形状の板材で（鋼材）で作られている。また、Ｙ２　は、送電線Ｌ１　〜Ｌ４　側に設けられるライン側ヨークであって、十字形状の鋳物で作られている。なお、図示の例では、送電線は３導体として示されているが、４導体等であってもよい。
【００１１】
図中、イ，ロは所定の長さを有する２連のがいし連であって、上記アース側ヨークＹ１　及びライン側ヨークＹ２　間に所定の間隔（本発明の距離Ａに相当している。）を保ち、かつ、平行に設けられている。
【００１２】
アース側ヨークＹ１　に設けられているａ１　，ａ２　は、上記２連のがいし連イ，ロをそれぞれ取付けるための取付孔（本発明の取付位置に相当している。）であり、ａ３　は、アース側ヨークＹ１　を図示しない送電線鉄塔に取付けるための取付孔（本発明の取付位置に相当している。）ａ３　は、２連のがいし連イ，ロ用の取付孔ａ１　，ａ２　を結ぶ線の垂直２等分線上に位置している。そして、これら３個の取付孔ａ１　〜ａ３　の位置関係は、２連のがいし連イ，ロの取付孔ａ１　，ａ２　間の距離をＡとし、それら取付孔ａ１　，ａ２　を結ぶ線からその結ぶ線の垂直２等分線上に位置する取付孔ａ３　までの距離をＪ１　としたときに、１＜Ｊ１　／Ａ≦２となるように決められている。
【００１３】
ライン側ヨークＹ２　に設けられているｂ１　，ｂ２　は、上記２連のがいし連イ，ロをそれぞれ取付けるための取付孔（本発明の取付位置に相当している。）であり、ｂ３　は、ライン側ヨークＹ２　を送電線Ｌ１　〜Ｌ４　に取付けるための取付孔（本発明の取付位置に相当している。）ｂ３　は、２連のがいし連イ，ロ用の取付孔ｂ１　，ｂ２　を結ぶ線の垂直２等分線上に位置している。そして、これら３個の取付孔ｂ１　〜ｂ３　の位置関係は、２連のがいし連イ，ロの取付孔ｂ１　，ｂ２　間の距離をＡとし、それら取付孔ｂ１　，ｂ２　を結ぶ線からその結ぶ線の垂直２等分線上に位置する取付孔ｂ３　までの距離をＪ２　としたときに、０．４≦Ｊ２　／Ａ≦１．０となるように決められている。
【００１４】
図１（ｂ）は、２連のがいし連イ，ロのうちの一方のがいし連ロが断連事故を起こしたときの両ヨークＹ１　，Ｙ２　の傾きの状態を示している。このとき、アース側ヨークＹ１　は、同図（ａ）に示されるときよりもｈ１　だけ送電線Ｌ１　〜Ｌ４　側に送り出す結果となり、その送り出した分が少なくなることで断連時の衝撃荷重を緩和し、残存がいし連に与えるダメージを減少させている。上述のｈ１　は、次式によって求められる。
【数１】
2004031047.tif 000003
【００１５】
また、ライン側ヨークＹ２　も、断連時にｈ２　だけ送電線Ｌ１　〜Ｌ４　側に送り出す結果となる。この送出した分だけ断連時の衝撃荷重を緩和し、残存がいし連に与えるダメージを減少させている。上述のｈ２　は、次式によって求められる。
【数２】
2004031047.tif 000004
【００１６】
上述の断連時の送り出し量をより少なくするために、Ｊ１　又はＪ２　をより大きくして、例えば、Ｊ１　／Ａが２よりも大きな値にしようとすると、又はＪ２　／Ａが１よりも大きな値にしようとすると、各ヨークＹ１　，Ｙ２　が大型化し、したがって質量も大きくなり作業性が劣るという新たな問題点が発生してしまう。さらに、上述の値がアース側ヨークＹ１　側で１以下又はライン側ヨークＹ２　側で０．４未満であると、断連時の衝撃力を緩和する作用が小さくなるので採用することができない。
【００１７】
【発明の効果】
本発明の請求項１に記載の２連耐張装置は、アース側ヨークにおける２連のがいし連の取付位置及び送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、１＜Ｊ１　／Ａ≦２としたので、断連時の衝撃力を緩和することができる。
【００１８】
本発明の請求項２に記載の２連耐張装置は、ライン側ヨークにおける２連のがいし連の取付位置及び送電線への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ２　としたときに、０．４≦Ｊ２　／Ａ≦１．０
としたので、断連時の衝撃力を緩和することができる。
【００１９】
本発明の請求項３に記載の２連耐張装置は、アース側ヨークにおける２連のがいし連の取付位置及び送電線鉄塔への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ１　としたときに、１＜Ｊ１　／Ａ≦２とし、ライン側ヨークにおける前記２連のがいし連の取付位置及び前記送電線への取付位置は、それら２連のがいし連の取付位置間の距離をＡとし、それら２連のがいし連の取付位置を結ぶ線からその結ぶ線の垂直２等分線上に位置するその送電線鉄塔への取付位置までの距離をＪ２　としたときに、０．４≦Ｊ２　／Ａ≦１．０としたので、断連時の衝撃力をより緩和することができる。
【図面の簡単な説明】
【図１】（ａ）は、一実施の形態に係る２連耐張装置の平面図、（ｂ）は、断連時の状態を示す説明図である。
【符号の説明】
Ｙ１　　　　アース側ヨーク
Ｙ２　　　　ライン側ヨーク
イ，ロ　　　がいし連
Ｌ１　〜Ｌ４　　　　送電線
ａ１　〜ａ３　，ｂ１　〜ｂ３　　　　取付孔（取付位置）
【図１】
2004031047.tif 000009